(57)【要約】【課題】リブ部分の強度を従来のものと同等に保ちつつ、スロットの断面において溝部分が占める割合を大幅に向上する光ファイバケーブルを提供する。【解決手段】本発明の光ファイバケーブルは、光ファイバを収納する溝を複数設けたスロットを有し、深さが異なる溝を交互に配し、深溝同士の溝間の最短距離ｌ1、深溝の溝深さｄ1、深溝と浅溝との間の最短距離ｌ2、浅溝の溝深さｄ2がｌ1／ｄ1，ｌ2／ｄ2≧０．２６の関係を満たし、スロットの溝部分の占める面積の割合がスロット外径から算出される円断面積に対して４０％以上であることを特徴とする。【選択図】図３
2007286319.tif 000002
【特許請求の範囲】
【請求項１】
光ファイバを収納する溝を複数設けたスロットを有するケーブルにおいて、深さが異なる溝を交互に配し、深溝同士の溝間の最短距離ｌ1、深溝の溝深さｄ1、深溝と浅溝との間の最短距離ｌ2、浅溝の溝深さｄ2がｌ1／ｄ1，ｌ2／ｄ2≧０．２６の関係を満たし、スロットの溝部分の占める面積の割合がスロット外径から算出される円断面積に対して４０％以上であることを特徴とする光ファイバケーブル。
【請求項２】
前記スロットの外径Ｄ、深溝の溝幅ＷL1、浅溝の溝幅ＷL2が、ＷL1／Ｄ，ＷL2／Ｄ≧０．１３の関係を満たすことを特徴とする、請求項１記載の光ファイバケーブル。
【請求項３】
複数本の光ファイバを横一列に配して一括被覆したテープ心線が複数枚積層されて前記スロットの溝に収納されていることを特徴とする、請求項１および請求項２記載の光ファイバケーブル。
【発明の詳細な説明】
【技術分野】
【０００１】
本発明は、光ファイバを収納する溝を設けたスロット型光ファイバケーブルの構造に関する。
【背景技術】
【０００２】
従来のＳ撚りスロット型１０００心光ファイバケーブルの断面構造を図１に示す。中心に抗張力体１０２、周囲に光ファイバを収納するための溝１０４を有したスロット１０６であり、溝の深さが大きめの深溝が１２個、溝の深さが小さめの浅溝が１個配置され、長手に渡って一方向撚りされている。深溝には光ファイバ８本を横一列に配して一括被覆した８心テープ心線１０８が１０枚、浅溝には同じく８心テープ心線１０８が５枚積層した状態で収納されている。その上に押え巻１１０およびシース１１２が施されている。
【０００３】
また、従来のＳ撚りスロット型４００心光ファイバケーブルの断面構造を図２に示す。中心に抗張力体２０２、周囲に光ファイバを収納するための溝２０４を有したスロット２０６で、溝の深さが同一のものが５個均等に配置され、長手に渡って一方向撚りされている。溝には８心テープ心線２０８が１０枚積層した状態で収納され、その上に押え巻２１０およびシース２１２が施されている。
【０００４】
図１に示す従来の光ファイバケーブルにおいて、光ファイバを収納する溝１０４の部分はスロット１０６の周囲にしか存在せず、スロット１０６の中心部分は光ファイバの収納に寄与していない。溝１０４をスロット１０６の中心に配置しようとすると溝と溝の間のリブと呼ばれる部分が細くなり、光ファイバケーブルの機械的強度に影響することになるため、リブについてある程度の厚さは確保しなければならない。そのため、光ファイバの収納効率が悪く、無駄にスロット外径が大きくなってしまう。また図２の光ファイバケーブルの場合、スロット２０６の中心部分は効率的に使用されているが、リブ部分の面積比率が大きいため、全体として光ファイバの収納効率は低くなっている。
【０００５】
このような従来の光ファイバケーブルの問題を解決すべく、光ファイバ担持用スロットの隣り合う溝の深さを交互に変え、その深いほうの溝にテープ状光ファイバ心線を多数枚積層し、浅いほうの溝にテープ状光ファイバ心線を少数枚積層して収納することにより、リブの厚さを従来と同等に保ち、従来の光ファイバ担持用スロットよりも細径化を図る技術が提案されている（例えば、特許文献１）。
【特許文献１】特開平１１−２０２１７１
【発明の開示】
【発明が解決しようとする課題】
【０００６】
しかし、上記特許文献１においては、隣り合う溝の深さを交互に変えることが提案されているに過ぎず、光ファイバの収納効率をより一層高めるための提案は何らなされていない。したがって、光ファイバケーブルにおいて、リブ部分の強度を従来のものと同等に保ちながら、スロットの断面において溝部分が占める割合を更に大きくし、従来技術と比較して光ファイバの収納効率を大幅に改善する技術が望まれる。
【課題を解決するための手段】
【０００７】
本発明の光ファイバケーブルは、光ファイバを収納する溝を複数設けたスロットを有し、深さが異なる溝を交互に配し、深溝同士の溝間の最短距離ｌ1、深溝の溝深さｄ1、深溝と浅溝との間の最短距離ｌ2、浅溝の溝深さｄ2がｌ1／ｄ1，ｌ2／ｄ2≧０．２６の関係を満たし、スロットの溝部分の占める面積の割合がスロット外径から算出される円断面積に対して４０％以上であることを特徴とする。
【０００８】
上記光ファイバケーブルにおいて、スロットの外径Ｄ、深溝の溝幅ＷL1、浅溝の溝幅ＷL2は、ＷL1／Ｄ，ＷL2／Ｄ≧０．１３の関係を満たすように構成することができる。
【０００９】
また、上記光ファイバケーブルにおいて、複数本の光ファイバを横一列に配して一括被覆したテープ心線が複数枚積層されて前記スロットの溝に収納されるように構成することができる。
【発明の効果】
【００１０】
本発明の光ファイバケーブルにおいては、リブ部分の強度を従来のケーブルと同等としつつ、スロット外径から算出される円面積に対して溝部分が占める面積の割合を４０％以上とすることが可能であり、光ファイバの更なる効率的な実装を実現することができる。
【実施例】
【００１１】
本発明の１０００心光ファイバケーブル（下記表１のＥ１）の断面構造図を図３に示す。１．２ｍｍ鋼線を７本撚りした抗張力体を中心に配し、周囲に深溝（深さｄ1＝５．９ｍｍ、幅ＷL1＝２．７ｍｍ）を５個、浅溝（深さｄ2＝３．２ｍｍ、幅ＷL2＝２．７ｍｍ）を５個配しており、長手に渡って一方向撚りした外径（Ｄ）１９．０ｍｍのスロットである。深溝には８心テープ心線（厚さ０．３ｍｍ、幅２．１ｍｍ）を１７枚、浅溝には８枚積層した状態で収納し、その上に吸水性パウダーを塗布した不織布からなる押え巻（厚さ０．３ｍｍ）を重ね巻きし、ポリエチレンのシース（厚さ１．８ｍｍ）を施したものである。深溝間の最短距離ｌ1及び深溝と浅溝との間の最短距離ｌ2はそれぞれ１．９３ｍｍ及び１．２０ｍｍである。
【００１２】
本実施例において、溝間の最短距離と溝深さとの関係は、上述の数値からそれぞれｌ1／ｄ1＝０．３３、ｌ2／ｄ2＝０．３８となっており、スロット外径から算出される円断面積に対する溝部分が占める面積の割合は４３．３％である。このように、表１に示す従来の１０００心ケーブルの例ｅにおける当該割合（３２．５％）と比較して大幅な改善が見られた。本実施例において、スロット外径と溝幅との関係は、ＷL1／Ｄ，ＷL2／Ｄ＝０．１４となっている。また、溝間の最短距離は最小でも１．２０ｍｍとなり、従来の１０００心ケーブルの場合（表１のｅ）における当該厚さの最小１．０５ｍｍと比較して同等の数値を確保している。したがって、リブ部分の強度を従来のケーブルと同等に保ちつつ、スロット外径から算出される円面積に対して溝部分が占める面積の割合をより大きくとる（本実施例においては４０％以上）ことが可能となっている。
【００１３】
本発明の光ファイバケーブルのその他の実施例を下表１に示す。表１においては、従来の１００心ケーブル（ａ）、２００心ケーブル（ｂ）、３００心ケーブル（ｃ）、４００心ケーブル（ｄ）及び１０００心ケーブル（ｅ）とこれらに対応する本発明の実施例のケーブルＡ乃至Ｅ２とを比較して示している。１００心〜３００心のケーブルは、溝内に４心テープ心線を積層した状態で収納することにより構成され、４００心及び１０００心のケーブルは、溝内に８心テープ心線を積層した状態で収納することにより構成されている。従来の光ファイバケーブルのうち１００心〜４００心のものは、単一の種類の溝のみを有しており、１０００心のものは、図１にも示すように、１２個の深溝と１個の浅溝とを有している。一方、本発明の実施例のケーブルは、いずれも、深溝と浅溝を同数ずつ有するように構成されている。
【００１４】
【表１】
2007286319.tif 000003
【００１５】
表１に示す本発明の光ファイバケーブルＡ〜Ｅ２は、溝深さ、溝間の最短距離及び溝幅を調整することにより、リブ部分の厚さを従来のケーブルと同等として強度を確保しつつ、スロット外径から算出される円面積に対して溝部分が占める面積の割合が４０％以上となるよう設計されている。表１の結果から、ｌ1／ｄ1及びｌ2／ｄ2が０．２６以上であり、ＷL1／Ｄ及びＷL2／Ｄが０．１３以上であれば、本発明の目的を達成する光ファイバケーブルが得られることが分かる。
【００１６】
また、図４に示すように溝底部分の形状が曲率を持っているような光ファイバケーブルについても本発明を適用することが可能である。図４に示すように、溝形状が溝側面に沿った直線上から離れる点同士を結んだ部分を溝下幅と規定することにより、溝底部分が平坦である場合と同様に考えられる。
【００１７】
本明細書においては、Ｓ撚りスロット型光ファイバケーブルについて本発明を適用する場合について特に説明したが、本発明の適用範囲はこれに限定されない。例えば、溝が長手方向で交互に反転する構造を有するＳＺ撚りスロット型光ファイバケーブルについても本発明は同様に適用可能である。
【図面の簡単な説明】
【００１８】
【図１】従来のＳ撚りスロット型光ファイバケーブル（１０００心）の略式断面構造を示す図である。
【図２】従来のＳ撚りスロット型光ファイバケーブル（４００心）の略式断面構造を示す図である。
【図３】本発明の実施例に係るＳ撚りスロット型光ファイバケーブル（表１のＥ１）の略式断面構造を示す図である。
【図４】本発明の実施例に係る、溝底部分の形状が曲率を持つスロットの略式断面構造を示す図である。
【図１】
2007286319.tif 000004
【図２】
2007286319.tif 000005
【図３】
2007286319.tif 000006
【図４】
2007286319.tif 000007